【手続補正書】
【提出日】平成25年2月13日(2013.2.13)
【手続補正１】
【補正対象書類名】特許請求の範囲
【補正対象項目名】全文
【補正方法】変更
【補正の内容】
【特許請求の範囲】
【請求項１】
各ピクチャを分割したブロック単位で動き補償予測を用いて動画像が符号化された符号列を復号する動画像復号装置であって、
動き情報候補リストから選択すべき動き情報候補を示すインデックスを復号する動き情報復号部と、
復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさ以下の前記復号対象予測ブロックに対しては、前記動き情報候補に含まれる参照画像の指定情報を固定の値に設定して動き情報候補リストを生成する動き情報候補リスト生成部と、
復号された前記動き情報候補を示すインデックスを用いて、前記動き情報候補リストから選択された動き情報候補に基づき前記復号対象予測ブロックの動き情報を得る動き情報取得部とを備えることを特徴とする動画像復号装置。
【請求項２】
各ピクチャを分割したブロック単位で動き補償予測を用いて動画像が符号化された符号列を復号する動画像復号装置であって、
動き情報候補リストから選択すべき動き情報候補を示すインデックスを復号する動き情報復号部と、
復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさの前記復号対象予測ブロックに対しては、前記動き情報候補に含まれる参照画像の指定情報を固定の値に設定して動き情報候補リストを生成する動き情報候補リスト生成部と、
復号された前記動き情報候補を示すインデックスを用いて、前記動き情報候補リストから選択された動き情報候補に基づき前記復号対象予測ブロックの動き情報を得る動き情報取得部とを備えることを特徴とする動画像復号装置。
【請求項３】
各ピクチャを分割したブロック単位で動き補償予測を用いて動画像が符号化された符号列を復号する動画像復号装置であって、
動き情報候補リストから選択すべき動き情報候補を示すインデックスを復号する動き情報復号部と、
復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、動き情報候補リストを生成する動き情報候補リスト生成部と、
前記復号対象予測ブロックの予測誤差信号の符号化データを復号する予測誤差信号復号部と、
復号された動き情報候補を示すインデックスにもとづいて前記動き情報候補リストから選択された動き情報候補を前記復号対象予測ブロックの動き情報として使用することにより生成される予測信号と、復号された前記復号対象予測ブロックの予測誤差信号とを加算して前記復号対象予測ブロックの画像信号を再生する加算部とを備え、
前記動き情報候補リスト生成部は、所定の大きさの領域内の復号順で二番目以降に動き補償予測を用いて復号する前記復号対象予測ブロックの参照画像の指定情報を、前記所定の大きさの領域内の復号順で一番目に動き補償予測を用いて復号する前記復号対象予測ブロックの参照画像の指定情報と同一の値に設定することを特徴とする動画像復号装置。
【請求項４】
各ピクチャを分割したブロック単位で動き補償予測を用いて動画像が符号化された符号列を復号する動画像復号方法であって、
動き情報候補リストから選択すべき動き情報候補を示すインデックスを復号する動き情報復号ステップと、
復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさ以下の前記復号対象予測ブロックに対しては、前記動き情報候補に含まれる参照画像の指定情報を固定の値に設定して動き情報候補リストを生成する動き情報候補リスト生成ステップと、
復号された前記動き情報候補を示すインデックスを用いて、前記動き情報候補リストから選択された動き情報候補に基づき前記復号対象予測ブロックの動き情報を得る動き情報取得ステップとを備えることを特徴とする動画像復号方法。
【請求項５】
各ピクチャを分割したブロック単位で動き補償予測を用いて動画像が符号化された符号列を復号する動画像復号方法であって、
動き情報候補リストから選択すべき動き情報候補を示すインデックスを復号する動き情報復号ステップと、
復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさの前記復号対象予測ブロックに対しては、前記動き情報候補に含まれる参照画像の指定情報を固定の値に設定して動き情報候補リストを生成する動き情報候補リスト生成ステップと、
復号された前記動き情報候補を示すインデックスを用いて、前記動き情報候補リストから選択された動き情報候補に基づき前記復号対象予測ブロックの動き情報を得る動き情報取得ステップとを備えることを特徴とする動画像復号方法。
【請求項６】
各ピクチャを分割したブロック単位で動き補償予測を用いて動画像が符号化された符号列を復号する動画像復号プログラムであって、
動き情報候補リストから選択すべき動き情報候補を示すインデックスを復号する動き情報復号ステップと、
復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさ以下の前記復号対象予測ブロックに対しては、前記動き情報候補に含まれる参照画像の指定情報を固定の値に設定して動き情報候補リストを生成する動き情報候補リスト生成ステップと、
復号された前記動き情報候補を示すインデックスを用いて、前記動き情報候補リストから選択された動き情報候補に基づき前記復号対象予測ブロックの動き情報を得る動き情報取得ステップとをコンピュータに実行させることを特徴とする動画像復号プログラム。
【請求項７】
各ピクチャを分割したブロック単位で動き補償予測を用いて動画像が符号化された符号列を復号する動画像復号プログラムであって、
動き情報候補リストから選択すべき動き情報候補を示すインデックスを復号する動き情報復号ステップと、
復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさの前記復号対象予測ブロックに対しては、前記動き情報候補に含まれる参照画像の指定情報を固定の値に設定して動き情報候補リストを生成する動き情報候補リスト生成ステップと、
復号された前記動き情報候補を示すインデックスを用いて、前記動き情報候補リストから選択された動き情報候補に基づき前記復号対象予測ブロックの動き情報を得る動き情報取得ステップとをコンピュータに実行させることを特徴とする動画像復号プログラム。
【請求項８】
動画像が符号化された符号列を受信して復号する受信装置であって、
各ピクチャを分割したブロック単位で動き補償予測を用いて動画像が符号化された符号列がパケット化された符号化データを受信する受信部と、
受信された前記符号化データをパケット処理して元の符号列を復元する復元部と、
動き情報候補リストから選択すべき動き情報候補を示すインデックスを、復元された前記符号列から復号する動き情報復号部と、
復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさ以下の前記復号対象予測ブロックに対しては、前記動き情報候補に含まれる参照画像の指定情報を固定の値に設定して動き情報候補リストを生成する動き情報候補リスト生成部と、
復号された前記動き情報候補を示すインデックスを用いて、前記動き情報候補リストから選択された動き情報候補に基づき前記復号対象予測ブロックの動き情報を得る動き情報取得部とを備えることを特徴とする受信装置。
【請求項９】
動画像が符号化された符号列を受信して復号する受信装置であって、
各ピクチャを分割したブロック単位で動き補償予測を用いて動画像が符号化された符号列がパケット化された符号化データを受信する受信部と、
受信された前記符号化データをパケット処理して元の符号列を復元する復元部と、
動き情報候補リストから選択すべき動き情報候補を示すインデックスを、復元された前記符号列から復号する動き情報復号部と、
復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさの前記復号対象予測ブロックに対しては、前記動き情報候補に含まれる参照画像の指定情報を固定の値に設定して動き情報候補リストを生成する動き情報候補リスト生成部と、
復号された前記動き情報候補を示すインデックスを用いて、前記動き情報候補リストから選択された動き情報候補に基づき前記復号対象予測ブロックの動き情報を得る動き情報取得部とを備えることを特徴とする受信装置。
【請求項１０】
動画像が符号化された符号列を受信して復号する受信方法であって、
各ピクチャを分割したブロック単位で動き補償予測を用いて動画像が符号化された符号列がパケット化された符号化データを受信する受信ステップと、
受信された前記符号化データをパケット処理して元の符号列を復元する復元ステップと、
動き情報候補リストから選択すべき動き情報候補を示すインデックスを、復元された前記符号列から復号する動き情報復号ステップと、
復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさ以下の前記復号対象予測ブロックに対しては、前記動き情報候補に含まれる参照画像の指定情報を固定の値に設定して動き情報候補リストを生成する動き情報候補リスト生成ステップと、
復号された前記動き情報候補を示すインデックスを用いて、前記動き情報候補リストから選択された動き情報候補に基づき前記復号対象予測ブロックの動き情報を得る動き情報取得ステップとを備えることを特徴とする受信方法。
【請求項１１】
動画像が符号化された符号列を受信して復号する受信方法であって、
各ピクチャを分割したブロック単位で動き補償予測を用いて動画像が符号化された符号列がパケット化された符号化データを受信する受信ステップと、
受信された前記符号化データをパケット処理して元の符号列を復元する復元ステップと、
動き情報候補リストから選択すべき動き情報候補を示すインデックスを、復元された前記符号列から復号する動き情報復号ステップと、
復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさの前記復号対象予測ブロックに対しては、前記動き情報候補に含まれる参照画像の指定情報を固定の値に設定して動き情報候補リストを生成する動き情報候補リスト生成ステップと、
復号された前記動き情報候補を示すインデックスを用いて、前記動き情報候補リストから選択された動き情報候補に基づき前記復号対象予測ブロックの動き情報を得る動き情報取得ステップとを備えることを特徴とする受信方法。
【請求項１２】
動画像が符号化された符号列を受信して復号する受信プログラムであって、
各ピクチャを分割したブロック単位で動き補償予測を用いて動画像が符号化された符号列がパケット化された符号化データを受信する受信ステップと、
受信された前記符号化データをパケット処理して元の符号列を復元する復元ステップと、
動き情報候補リストから選択すべき動き情報候補を示すインデックスを、復元された前記符号列から復号する動き情報復号ステップと、
復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさ以下の前記復号対象予測ブロックに対しては、前記動き情報候補に含まれる参照画像の指定情報を固定の値に設定して動き情報候補リストを生成する動き情報候補リスト生成ステップと、
復号された前記動き情報候補を示すインデックスを用いて、前記動き情報候補リストから選択された動き情報候補に基づき前記復号対象予測ブロックの動き情報を得る動き情報取得ステップとをコンピュータに実行させることを特徴とする受信プログラム。
【請求項１３】
動画像が符号化された符号列を受信して復号する受信プログラムであって、
各ピクチャを分割したブロック単位で動き補償予測を用いて動画像が符号化された符号列がパケット化された符号化データを受信する受信ステップと、
受信された前記符号化データをパケット処理して元の符号列を復元する復元ステップと、
動き情報候補リストから選択すべき動き情報候補を示すインデックスを、復元された前記符号列から復号する動き情報復号ステップと、
復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさの前記復号対象予測ブロックに対しては、前記動き情報候補に含まれる参照画像の指定情報を固定の値に設定して動き情報候補リストを生成する動き情報候補リスト生成ステップと、
復号された前記動き情報候補を示すインデックスを用いて、前記動き情報候補リストから選択された動き情報候補に基づき前記復号対象予測ブロックの動き情報を得る動き情報取得ステップとをコンピュータに実行させることを特徴とする受信プログラム。
【手続補正２】
【補正対象書類名】明細書
【補正対象項目名】００１１
【補正方法】変更
【補正の内容】
【００１１】
上記課題を解決するために、本発明のある態様の動画像復号装置は、各ピクチャを分割したブロック単位で動き補償予測を用いて動画像が符号化された符号列を復号する動画像復号装置であって、動き情報候補リストから選択すべき動き情報候補を示すインデックスを復号する動き情報復号部（２６００）と、復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさ以下の前記復号対象予測ブロックに対しては、前記動き情報候補に含まれる参照画像の指定情報を固定の値に設定して動き情報候補リストを生成する動き情報候補リスト生成部（２６０５）と、復号された前記動き情報候補を示すインデックスを用いて、前記動き情報候補リストから選択された動き情報候補に基づき前記復号対象予測ブロックの動き情報を得る動き情報取得部（２６０６）とを備える。
【手続補正３】
【補正対象書類名】明細書
【補正対象項目名】００１２
【補正方法】変更
【補正の内容】
【００１２】
本発明の別の態様もまた、動画像復号装置である。この装置は、各ピクチャを分割したブロック単位で動き補償予測を用いて動画像が符号化された符号列を復号する動画像復号装置であって、動き情報候補リストから選択すべき動き情報候補を示すインデックスを復号する動き情報復号部（２６００）と、復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさの前記復号対象予測ブロックに対しては、前記動き情報候補に含まれる参照画像の指定情報を固定の値に設定して動き情報候補リストを生成する動き情報候補リスト生成部（２６０５）と、復号された前記動き情報候補を示すインデックスを用いて、前記動き情報候補リストから選択された動き情報候補に基づき前記復号対象予測ブロックの動き情報を得る動き情報取得部（２６０６）とを備える。
【手続補正４】
【補正対象書類名】明細書
【補正対象項目名】００１３
【補正方法】変更
【補正の内容】
【００１３】
本発明のさらに別の態様もまた、動画像復号装置である。この装置は、各ピクチャを分割したブロック単位で動き補償予測を用いて動画像が符号化された符号列を復号する動画像復号装置であって、動き情報候補リストから選択すべき動き情報候補を示すインデックスを復号する動き情報復号部（２６００）と、復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、動き情報候補リストを生成する動き情報候補リスト生成部（２６０５）と、前記復号対象予測ブロックの予測誤差信号の符号化データを復号する予測誤差信号復号部（６０２）と、復号された動き情報候補を示すインデックスにもとづいて前記動き情報候補リストから選択された動き情報候補を前記復号対象予測ブロックの動き情報として使用することにより生成される予測信号と、復号された前記復号対象予測ブロックの予測誤差信号とを加算して前記復号対象予測ブロックの画像信号を再生する加算部（６０４）とを備える。前記動き情報候補リスト生成部（２６０５）は、所定の大きさの領域内の復号順で二番目以降に動き補償予測を用いて復号する前記復号対象予測ブロックの参照画像の指定情報を、前記所定の大きさの領域内の復号順で一番目に動き補償予測を用いて復号する前記復号対象予測ブロックの参照画像の指定情報と同一の値に設定する。
【手続補正５】
【補正対象書類名】明細書
【補正対象項目名】００１４
【補正方法】変更
【補正の内容】
【００１４】
本発明のさらに別の態様は、動画像復号方法である。この方法は、各ピクチャを分割したブロック単位で動き補償予測を用いて動画像が符号化された符号列を復号する動画像復号方法であって、動き情報候補リストから選択すべき動き情報候補を示すインデックスを復号する動き情報復号ステップと、復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさ以下の前記復号対象予測ブロックに対しては、前記動き情報候補に含まれる参照画像の指定情報を固定の値に設定して動き情報候補リストを生成する動き情報候補リスト生成ステップと、復号された前記動き情報候補を示すインデックスを用いて、前記動き情報候補リストから選択された動き情報候補に基づき前記復号対象予測ブロックの動き情報を得る動き情報取得ステップとを備える。
本発明のさらに別の態様もまた、動画像復号方法である。この方法は、各ピクチャを分割したブロック単位で動き補償予測を用いて動画像が符号化された符号列を復号する動画像復号方法であって、動き情報候補リストから選択すべき動き情報候補を示すインデックスを復号する動き情報復号ステップと、復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさの前記復号対象予測ブロックに対しては、前記動き情報候補に含まれる参照画像の指定情報を固定の値に設定して動き情報候補リストを生成する動き情報候補リスト生成ステップと、復号された前記動き情報候補を示すインデックスを用いて、前記動き情報候補リストから選択された動き情報候補に基づき前記復号対象予測ブロックの動き情報を得る動き情報取得ステップとを備える。
本発明のさらに別の態様は、受信装置である。この装置は、動画像が符号化された符号列を受信して復号する受信装置であって、各ピクチャを分割したブロック単位で動き補償予測を用いて動画像が符号化された符号列がパケット化された符号化データを受信する受信部と、受信された前記符号化データをパケット処理して元の符号列を復元する復元部と、動き情報候補リストから選択すべき動き情報候補を示すインデックスを、復元された前記符号列から復号する動き情報復号部（２６００）と、復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさ以下の前記復号対象予測ブロックに対しては、前記動き情報候補に含まれる参照画像の指定情報を固定の値に設定して動き情報候補リストを生成する動き情報候補リスト生成部（２６０５）と、復号された前記動き情報候補を示すインデックスを用いて、前記動き情報候補リストから選択された動き情報候補に基づき前記復号対象予測ブロックの動き情報を得る動き情報取得部（２６０６）とを備える。
本発明のさらに別の態様もまた、受信装置である。この装置は、動画像が符号化された符号列を受信して復号する受信装置であって、各ピクチャを分割したブロック単位で動き補償予測を用いて動画像が符号化された符号列がパケット化された符号化データを受信する受信部と、受信された前記符号化データをパケット処理して元の符号列を復元する復元部と、動き情報候補リストから選択すべき動き情報候補を示すインデックスを、復元された前記符号列から復号する動き情報復号部（２６００）と、復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさの前記復号対象予測ブロックに対しては、前記動き情報候補に含まれる参照画像の指定情報を固定の値に設定して動き情報候補リストを生成する動き情報候補リスト生成部（２６０５）と、復号された前記動き情報候補を示すインデックスを用いて、前記動き情報候補リストから選択された動き情報候補に基づき前記復号対象予測ブロックの動き情報を得る動き情報取得部（２６０６）とを備える。
本発明のさらに別の態様は、受信方法である。この方法は、動画像が符号化された符号列を受信して復号する受信方法であって、各ピクチャを分割したブロック単位で動き補償予測を用いて動画像が符号化された符号列がパケット化された符号化データを受信する受信ステップと、受信された前記符号化データをパケット処理して元の符号列を復元する復元ステップと、動き情報候補リストから選択すべき動き情報候補を示すインデックスを、復元された前記符号列から復号する動き情報復号ステップと、復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさ以下の前記復号対象予測ブロックに対しては、前記動き情報候補に含まれる参照画像の指定情報を固定の値に設定して動き情報候補リストを生成する動き情報候補リスト生成ステップと、復号された前記動き情報候補を示すインデックスを用いて、前記動き情報候補リストから選択された動き情報候補に基づき前記復号対象予測ブロックの動き情報を得る動き情報取得ステップとを備える。
本発明のさらに別の態様もまた、受信方法である。この方法は、動画像が符号化された符号列を受信して復号する受信方法であって、各ピクチャを分割したブロック単位で動き補償予測を用いて動画像が符号化された符号列がパケット化された符号化データを受信する受信ステップと、受信された前記符号化データをパケット処理して元の符号列を復元する復元ステップと、動き情報候補リストから選択すべき動き情報候補を示すインデックスを、復元された前記符号列から復号する動き情報復号ステップと、復号対象予測ブロックと同一ピクチャ内の前記復号対象予測ブロックと近接する復号済みのブロックの有する動き情報と、前記復号対象予測ブロックと異なる復号済みのピクチャ内のブロックの有する動き情報とから動き情報候補を導出し、所定の大きさの前記復号対象予測ブロックに対しては、前記動き情報候補に含まれる参照画像の指定情報を固定の値に設定して動き情報候補リストを生成する動き情報候補リスト生成ステップと、復号された前記動き情報候補を示すインデックスを用いて、前記動き情報候補リストから選択された動き情報候補に基づき前記復号対象予測ブロックの動き情報を得る動き情報取得ステップとを備える。
【手続補正６】
【補正対象書類名】明細書
【補正対象項目名】発明の名称
【補正方法】変更
【補正の内容】
【発明の名称】動画像復号装置、動画像復号方法、動画像復号プログラム、受信装置、受信方法及び受信プログラム
【手続補正７】
【補正対象書類名】明細書
【補正対象項目名】０００１
【補正方法】変更
【補正の内容】
【０００１】
本発明は、動き補償予測を用いた動画像復号技術に関し、特に動き補償予測に利用する動画像復号装置、動画像復号方法、動画像復号プログラム、受信装置、受信方法及び受信プログラムに関する。